(57)【要約】【課題】見出し装置の取り付け及び取り外しをユーザが容易に行うことができ、且つ、ユーザの意図に反して移動したり外れたりしにくい見出し装置を提供することを目的とする。【解決手段】スライド操作することにより、シートの縁の近傍に設けられた取付孔に取り付けられる見出し装置であって、前記シートの縁に当接することで前記スライド操作を受け止める受止部と、前記受止部に接し、前記シートを両面側から支持する支持面部と、前記支持面部に設けられ、前記受止部が前記スライド操作を受け止めた際に前記取付孔に嵌合する突起部と、前記見出し装置がシートに取り付けられた状態において、ユーザから見える部分に見出しを表示する表示部と、を備える。【選択図】図１
2009298056.tif 000002
【特許請求の範囲】
【請求項１】
スライド操作することにより、シートの縁の近傍に設けられた取付孔に取り付けられる見出し装置であって、
前記シートの縁に当接することで前記スライド操作を受け止める受止部と、
前記受止部に接し、前記シートを両面側から支持する支持面部と、
前記支持面部に設けられ、前記受止部が前記スライド操作を受け止めた際に前記取付孔に嵌合する突起部と、
前記見出し装置がシートに取り付けられた状態において、ユーザから見える部分に見出しを表示する表示部と、
を備える、
見出し装置。
【請求項２】
前記シートの縁の近傍の異なる位置に多数の取付孔が設けられ、該多数の取付孔の中からいずれかを選択して取り付けられる、
請求項１に記載の見出し装置。
【請求項３】
前記支持面部は、
前記シートを一方の面から支持する第一支持面部と、
前記シートを他方の面から支持する第二支持面部と、を有し、
前記第一支持面部および前記第二支持面部のいずれか一方に前記突起部が設けられ、
前記突起部が設けられていない前記支持面部は、前記受止部が前記スライド操作を受け止める方向の長さが、該突起部が設けられた前記支持面部の少なくとも該突起部の一部が露呈する長さである、
請求項１又は２に記載の見出し装置。
【請求項４】
前記突起部は、前記スライド操作する方向のいずれか一方に傾斜部を有する、
請求項１から３の何れか一項に記載の見出し装置。
【発明の詳細な説明】
【技術分野】
【０００１】
本発明は見出し装置に関するものである。
【背景技術】
【０００２】
従来から、インデックス等の見出し装置がシートの端部に取り付けられ、複数枚綴じられた書類の間に該シートを挟むことによって、綴じられた書類を分類毎に整理し、更に綴じられた書類を素早く検索することができる見出し装置が用いられている。該見出し装置は、シートの端部に取り付けられた後でも、綴じられた書類の変更等により見出し装置の位置をユーザが自由に変えることが求められる場合がある。
【０００３】
そこで、見出し装置の位置をユーザが自由に変えることが可能な技術が開示されている。例えば、見出し装置に設けられたヒンジ部が開閉することにより、見出し装置に設けられた連結具がファイルの表紙を構成するシートの端部に設けられた取付孔に嵌合し、見出し装置と該シートとが連結解除可能となる書類の整理保管用ファイルについて開示されている（第１従来例：特許文献１参照。）。また、シートに多数形成された取付用孔の中から、ユーザが所望する位置にある取付用孔を選択して、見出し装置の係止片を湾曲させて該取付用孔に嵌合させて、見出し装置をシートに装着することにより、見出し装置の位置の変更を容易に行うことができる資料見出し装置について開示されている（第２従来例：特許文献２参照。）。更に、ホルダーにストリップ部材を設け、見出し装置が長手方向に良好に摺動することができるホルダーまたはファイルについて開示されている（第３従来例：特許文献３，４参照。）。
【特許文献１】実開平０１−１３８７８３号公報
【特許文献２】実開昭６４―０４４１７６号公報
【特許文献３】特開２０００−０５２６８１号公報
【特許文献４】実開平０３−０３５５８２号公報
【発明の開示】
【発明が解決しようとする課題】
【０００４】
従来から、見出し装置がシートの端部に取り付けられた後でも、綴じられた書類の変更等により見出し装置の位置をユーザが自由に変えることが可能な見出し装置が開示されている。しかし、第１従来例では、該見出し装置に設けられたヒンジ部を開閉することによって、見出し装置を取り付ける位置を変えなければならず、ユーザにとって手間がかかり煩わしく、使い難いものである。また、第２従来例では、見出し装置の係止片を湾曲させてシートの取付用孔に装着しなければならず、取り付けの作業性が悪いばかりだけではなく、見出し装置の係止片とシートの取付用孔との嵌合具合が悪いと、脱落したり、取付用孔が破けたりする問題がある。更に、第３従来例では、シートにストリップ部材を設けてシートの長手方向に良好に摺動するため、ユーザが見出し装置に不意に手が触れた場合などは、見出し装置が意図に反して移動したり外れたりしてしまうという問題がある。
【０００５】
そこで本発明は、上記した問題に鑑み、見出し装置の取り付け及び取り外しをユーザが容易に行うことができ、且つ、ユーザの意図に反して移動したり外れたりしにくい見出し装置を提供することを目的とする。
【課題を解決するための手段】
【０００６】
本発明は、上記課題を解決するために、見出し装置をシートに取り付ける操作を工夫した。これにより、ユーザが容易に見出し装置を操作することができる。
【０００７】
詳細には、本発明の見出し装置は、スライド操作することにより、シートの縁の近傍に設けられた取付孔に取り付けられる見出し装置であって、前記シートの縁に当接することで前記スライド操作を受け止める受止部と、前記受止部に接し、前記シートを両面側から支持する支持面部と、前記支持面部に設けられ、前記受止部が前記スライド操作を受け止めた際に前記取付孔に嵌合する突起部と、前記見出し装置がシートに取り付けられた状態において、ユーザから見える部分に見出しを表示する表示部と、を備える。
【０００８】
前記見出し装置は、ユーザのスライド操作によってシートの縁の近傍に設けられた取付孔に取り付けられる。具体的に説明すると、受止部がシートの縁に当接することでスライド操作を受け止める。そして、受止部と接している支持面部がシートを両面側から支持することにより、シートは該シートの面に対して垂直方向の動きが制限される。更に、突起部がシートの縁の近傍に設けられた取付孔に嵌合するため、見出し装置がシートから外れにくい構造となる。一方、既に取り付けられた見出し装置を取付孔から取り外す際は、取付孔に嵌合された突起部の嵌合を解除し、見出し装置をシートから遠ざけるようにスライド操作をすることによって、見出し装置がシートから取り外される。従って、本発明の見出し装置は、見出し装置の取り付け及び取り外しをスライド操作によってユーザが容易に行うことができ、且つ、ユーザの意図に反して移動したり外れたりしにくい見出し装置を提供することが可能である。
【０００９】
ここで本発明において、前記シートの縁の近傍の異なる位置に多数の取付孔が設けられ、該多数の取付孔の中からいずれかを選択して取り付けられてもよい。既にシートの縁に設けられた取付孔に取り付けられた見出し装置をユーザが所望する他の位置の取付孔に変更する際は、取付孔に嵌合された突起部の嵌合を解除し、見出し装置をシートの縁に沿って所望の位置の取付孔に向かってスライド操作する。そして、所望の位置の取付孔に突起部を嵌合することによって、ユーザが自由に見出し装置の位置をユーザから見やすい位置に変更することが可能である。従って、本発明の見出し装置は、シートの取扱いを容易にすることが可能となる。
【００１０】
ここで本発明において、前記支持面部は、前記シートを一方の面から支持する第一支持面部と、前記シートを他方の面から支持する第二支持面部と、を有し、前記第一支持面部および前記第二支持面部のいずれか一方に前記突起部が設けられ、前記突起部が設けられていない前記支持面部は、前記受止部が前記スライド操作を受け止める方向の長さが、該突起部が設けられた前記支持面部の少なくとも該突起部の一部が露呈する長さでもよい。
【００１１】
上記見出し装置では、正面から見出し装置を見た際に突起部が露呈しているため、シートの縁に設けられた取付孔に取り付ける際に、突起部が取付孔に嵌合されたかどうかをユーザが目視で確認することが可能である。従って、ユーザがシートに取り付ける操作や、所望の位置に変更する操作をより容易に行うことができ、取付孔に確実に取り付けられる見出し装置を提供することが可能である。
【００１２】
ここで本発明において、前記突起部は、前記スライド操作する方向のいずれか一方に傾斜部を有してもよい。本発明の見出し装置は、例えば、前記突起部の各面のうち、前記受止部と対向しない面（この段落まででは記載が無いが、後述の開口部３１及び第二支持面部４２のこと）と対向する面に傾斜部を有すると、見出し装置をスライド操作することにより前記シートの縁の近傍に取り付ける際には操作が容易となる。
【発明の効果】
【００１３】
本発明によれば、見出し装置の取り付け及び取り外しをユーザが容易に行うことができ、且つ、ユーザの意図に反して移動したり外れたりしにくい見出し装置を提供することが可能である。
【発明を実施するための最良の形態】
【００１４】
ここで、本発明の実施例に係る見出し装置１について、図面に基づいて説明する。尚、本発明に係る見出し装置１は、シート２の縁に設けられた取付孔２１に取り付けられるが、これは本発明を当該実施例に限定する意図ではなく、本発明と技術的思想が同一の範囲にある限りは、見出し装置１をシート２に取り付ける操作等に利便性を向上するために使用することが可能である。
【００１５】
図１は、本発明の実施例に係る見出し装置１がシート２に取り付けられる際の正面図である。図２は、本発明の実施例に係る見出し装置１がシート２に取り付けられる際の背面図である。図３は、本発明の実施例に係る見出し装置１の正面図である。図４は、本発明の実施例に係る見出し装置１の側面図である。図５は、本発明の実施例に係る見出し装置１にシート２が取り付けられ、切り欠き部５２とシート２が嵌合する際の側面図である。図６は、本発明の実施例に係る見出し装置１の表示部６が２箇所設けられる際の側面図である。
【００１６】
＜シートの構造＞
先ず、見出し装置１が取り付けられるシート２について説明する。シート２は、樹脂製及びフィルム製のシートであって、取付孔２１がシート２の縦方向の縁に一定間隔に複数設けられる（図１及び図２参照）。尚、取付孔２１はシート２の横方向の縁に設けられてもよい。シート２の縁に一定間隔に取付孔２１が複数設けられることにより、シート２が複数枚重ねられて使用される際に、ユーザが正面から見て見出し装置１が重ならないように見出し装置１をユーザから見やすい位置に自由に変えることができるようになる。尚、見出し装置１が取り付けられるものはシート２に限定されず、ファイルやホルダーなど、取付孔２１が設けられ、複数枚綴じられた書類の間に挟むことができるものであれば良い。また、本発明の実施例に係る見出し装置１は、シート２に別途ストリップ部材等の別の構成部材を取り付ける必要がないため、コストを削減することが可能である。
【００１７】
＜見出し装置の構造＞
次に、見出し装置１の構造について説明する。見出し装置１は、図３に示すように、本体部３と、支持面部４と、突起部５と、表示部６とを主要な構成とする。本発明の実施例に係る見出し装置１では、表示部６はユーザが手書きによって見出しを書くことができる紙片等からなり、本体部３に貼付して見出しやインデックスを表示する。表示部６以外の構成は合成樹脂でできているが、本発明を構成する材料は限定されない。
【００１８】
先ず、支持面部４について説明する。支持面部４は、図３及び図４に示すように、第一支持面部４１と第二支持面部４２と受止部３２とが、略コの字形状を形成するように接続されて構成される。見出し装置１をスライド操作することによって、シート２の縁の近傍が第一支持面部４１と第二支持面部４２との間に挿入される際に、シート２の縁に当接することでスライド操作を受け止める面を受止部３２とする。さらに、受止部３２と対向する位置にあり開口している箇所を開口部３１とする。尚、受止部３２は、スライド操作を受け止めることができればよく、シート２の縁に常に接触していなくてもよい。また、受止部３２と、スライド操作により挿入したシート２の縁との隙間のバラツキが少ない方が、見出し装置１がシート２から外れにくくなる。
【００１９】
また、第一支持面部４１は突起部５を有し、第二支持面部４２は突起部５を有さない構造である。また、第二支持面部４２は、受止部３２がスライド操作を受け止める方向の長さが第一支持面部４１に設けられた突起部５が露呈する長さである。第一支持面部４１と第二支持面部４２は、シート２を両面側から支持することにより、シート２は該シート２の面に対して垂直方向の動きが制限されるため、取付孔２１に嵌合した突起部５が外れに
くい構造となる。
【００２０】
突起部５は、図３及び図４に示すように、第一支持面部４１がシート２を支持する面に設けられ、シート２の縁に設けられた取付孔２１と同等の径の円柱構造である。正面から見出し装置１を見た際に突起部５は露呈しているため、シート２の縁に設けられた取付孔２１に取り付ける際は、突起部５が取付孔２１に嵌合されたかどうかをユーザが目視で確認することが可能である。従って、本発明の見出し装置１は、シート２に取り付ける操作や、所望の位置に変更する操作をユーザが容易に行うことができ、取付孔２１に確実に取り付けることが可能である。
【００２１】
突起部５は、図３及び図４に示すように、スライド操作する方向のいずれか一方に傾斜面を有するため、例えば、前記突起部５の各面のうち、開口部３１及び第二支持面部４２と対向する面に傾斜部５１を有すると、見出し装置をスライド操作することにより前記シートの縁の近傍に取り付ける際には操作が容易となる。
【００２２】
さらに、突起部５は、図５に示すように、受止部３２と対向する面に切り欠き部５２を有すると、該切り欠き部５２とシート２とが嵌合するため、見出し装置１をより確実にシート２に取り付けることができる。
【００２３】
表示部６は、見出しを表示し、図３及び図４に示すように、シート２の面に対して平行な面であって、本体部３においてユーザから見える片面に設けられる。ユーザは、綴じられた書類を分類する分類名等を表示部６に書くことができる。尚、表示部６は、図６に示すように、シート２の面に対して平行な本体部３においてユーザから見える両面に設けてもよい。両面に表示部６があることにより、ユーザがシート２を正面から見た際だけでなく、シート２を背面から見た際も、見出しを確認することができるため、綴じられた書類を素早く検索することができ、より使いやすい見出し装置１を提供することが可能である。
【００２４】
＜見出し装置の操作方法＞
見出し装置１の操作方法について説明する。先ず、見出し装置１をシート２の縁の近傍に設けられた取付孔２１に取り付ける方法について説明する。見出し装置１をスライド操作することにより、シート２の縁の近傍が支持面部４の内に挿入される。そして、シート２の縁が受止部３２（図４参照）に当接し、スライド操作を受け止める。受止部３２がスライド操作を受け止めた際に、突起部５が取付孔２１に嵌合し、第一支持面部４１と第二支持面部４２とがシート２の縁の近傍を両面から支持し、見出し装置１が取付孔２１に取り付けられる。従って、本発明に係る見出し装置１は、シート２への取り付けをスライド操作によって行うことができるため、ユーザが見出し装置１の取り付けの作業を容易に行うことが可能である。更に、見出し装置１が取付孔２１に取り付けられる際は、見出し装置１のスライド操作やシート２の動きが制限されるため、シート２への取り付けが悪いことにより見出し装置１が外れる問題や、取付孔２１が破けやすいという問題が発生しにくいため、ユーザの意図に反して移動したり外れたりしにくい見出し装置１を提供することが可能である。
【００２５】
既に取付孔２１へ取り付けられた見出し装置１を取り外す方法について説明する。図７は、本発明の実施例に係る見出し装置１の突起部５が取付孔２１との嵌合を解除した際の見出し装置１の側面図である。図７に示すように、第一支持面部４１をシート２の面に対してシート２から遠ざかる垂直方向を接線とし、シート２の縁と受止部３２とが接する点を中心とする円周方向に力を加えることによって、取付孔２１と突起部５の嵌合を解除する。そして、見出し装置１をシート２から遠ざけるようにスライド操作をすることによって、見出し装置１がシート２から取り外される。従って、見出し装置１を取り外す際も、
スライド操作によって行うことができるため、ユーザにとって手間がかからず取り外しの作業性が良い。
【００２６】
既に取付孔２１へ取り付けられた見出し装置１を所望の位置の取付孔２１へ取り付ける方法について説明する。上記した既に取付孔２１へ取り付けられた見出し装置１を取り外す方法と同様に、図７に示すように、第一支持面部４１をシート２の面に対してシート２から遠ざかる垂直方向を接線とし、シート２の縁と受止部３２とが接する点を中心とする円周方向に力を加えることによって、取付孔２１と突起部５の嵌合を解除する。そして、見出し装置１をシート２の縁に沿って所望の位置の取付孔２１に向かってスライド操作を行い、所望の位置の取付孔２１に突起部５を嵌合することによって、見出し装置１が取り付けられる。従って、見出し装置１の位置を変更する際も、スライド操作によって行うことができ、ユーザが容易且つ自由に見出し装置１の位置を変更することが可能である。
【００２７】
＜変形例１＞
以上、本発明の実施例に係る見出し装置１について説明したが、本発明に係る見出し装置１はこれらに限定されるものではない。図８は、本発明の実施例に係る見出し装置１を変形した変形例１の正面図である。上記実施例では、図３に示すように第一支持面部４１が突起部５を一つ設けているが、図８に示すように第一支持面部４１が突起部５を複数設けてもよい。突起部５を複数設けることにより、突起部５が取付孔２１と嵌合する位置が増え、よりユーザの意図に反して移動したり外れたりしにくい見出し装置１を提供することが可能である。
【００２８】
＜変形例２＞
図９は、本発明の実施例に係る見出し装置１を変形した変形例２の正面図である。また、図１０は、本発明の実施例に係る見出し装置１を変形した変形例２にシートが取り付けられた際の側面図である。本発明の実施例に係る見出し装置１では、図３及び図４に示すように、正面から見出し装置１を見た際に、突起部５が露呈しているが、図９及び図１０に示すように、突起部５が露呈していなくてもよい。第一支持面部４１と第二支持面部４２は、本体部３がスライド操作を受け止める方向の長さを同じ長さに設定されることにより、正面から見出し装置１を見た際に、第一支持面部４１に設けられた突起部５が露呈されない構造となる。その結果、この見出し装置１はシート２を一方の面から支持する第二支持面部４２の面積が増えるため、第二支持面部４２の面積が小さい場合と比べて、シート２が該シート２の面に対して垂直方向に動くことがより制限される。従って、よりユーザの意図に反して移動もしくは外れにくい見出し装置１を提供することが可能である。
【００２９】
図１１は、本発明の実施例に係る見出し装置を変形した変形例２を射出成形によって製造した際の見出し装置の側面図である。本発明に係る見出し装置１の変形例２を製造するにあたって、射出成形の段階から図１０に示すような見出し装置１を製造すると、金型が複雑なものとなってしまい製造コストがかかってしまうという問題がある。そこで、図１１に示すように、射出成形の段階では簡単な金型によって見出し装置１を作成してもよい。具体的に説明すると、図１０及び図１１に示すように、本体部３は、第一支持面部４１と繋がる第一本体部３３と第二支持面部４２と繋がる第二本体部３４の二つに分けられる。第一本体部３３と第二本体部３４は、第一支持面部４１と第二支持面部４２とに繋がる側とは反対側で接続部９によって接続される。第一本体部３３は第二本体部３４と向き合う面に凸部７を有し、第二本体部３４は第一本体部３３と向き合う面に凸部７と嵌合する凹部８を有する。そして、第一支持面部４１、第一本体部３３、接続部９、第二本体部３４、第二支持面部４２が一直線状に繋がっている構成になるように、図１１に示すような、見出し装置１の射出成形による金型を作成する。見出し装置１の射出成形後は、第一支持面部４１と第二支持面部４２が向かい合い、第一本体部３３と第二本体部３４とが向かい合うように接続部９で折り曲げ、第一本体部３３の凸部７と第二本体部３４の凹部８と
を嵌合させ、嵌合部分を超音波溶着等によって固着することにより、図１０に示すような見出し装置１を作成することが可能である。従って、本発明に係る見出し装置１の変形例２は、製造コストを抑えることができる見出し装置１を提供することが可能である。
【００３０】
＜変形例３＞
図１２は、本発明の実施例に係る見出し装置１を変形した変形例３にシート２が取り付けられた際の側面図である。本発明の実施例に係る見出し装置１では、第一支持面部４１は突起部５を有し、第二支持面部４２は突起部５を有さない構造であるが、図１２に示すように、第一支持面部４１と第二支持面部４２との両方の面に突起部５を設けてもよい。突起部５を両方の面に設けることにより、見出し装置１がシート２からより外れにくくなり、ユーザの意図に反して移動しにくい見出し装置１を提供することが可能である。尚、第一支持面部４１と第二支持面部４２との両方の面に突起部５を設ける場合は、それぞれの突起部５の配置に応じて、シート２の縁に取付孔２１が二列に設けられる。
【図面の簡単な説明】
【００３１】
【図１】本発明の実施例に係る見出し装置がシートに取り付けられる際の正面図である。
【図２】本発明の実施例に係る見出し装置がシートに取り付けられる際の背面図である。
【図３】本発明の実施例に係る見出し装置の正面図である。
【図４】本発明の実施例に係る見出し装置にシートが取り付けられる際の側面図である。
【図５】本発明の実施例に係る見出し装置にシートが取り付けられ、切り欠き部とシートが嵌合する際の側面図である。
【図６】本発明の実施例に係る見出し装置にシートが取り付けられ、表示部６が複数設けられる際の側面図である。
【図７】本発明の実施例に係る見出し装置の突起部が取付孔との嵌合を解除する際の見出し装置の側面図である。
【図８】本発明の実施例に係る見出し装置を変形した変形例１の正面図である。
【図９】本発明の実施例に係る見出し装置を変形した変形例２の正面図である。
【図１０】本発明の実施例に係る見出し装置を変形した変形例２にシートが取り付けられる際の側面図である。
【図１１】本発明の実施例に係る見出し装置を変形した変形例２を射出成形によって製造する際の見出し装置の側面図である。
【図１２】本発明の実施例に係る見出し装置を変形した変形例３にシートが取り付けられる際の側面図である。
【符号の説明】
【００３２】
１・・・見出し装置
２・・・シート
２１・・・取付孔
３・・・本体部
３１・・・開口部
３２・・・受止部
３３・・・第一本体部
３４・・・第二本体部
４・・・支持面部
４１・・・第一支持面部
４２・・・第二支持面部
５・・・突起部
５１・・・傾斜部
５２・・・切り欠き部
６・・・表示部
７・・・凸部
８・・・凹部
９・・・接続部
【図１】
2009298056.tif 000003
【図２】
2009298056.tif 000004
【図３】
2009298056.tif 000005
【図４】
2009298056.tif 000006
【図５】
2009298056.tif 000007
【図６】
2009298056.tif 000008
【図７】
2009298056.tif 000009
【図８】
2009298056.tif 000010
【図９】
2009298056.tif 000011
【図１０】
2009298056.tif 000012
【図１１】
2009298056.tif 000013
【図１２】
2009298056.tif 000014